(57)【要約】      （修正有）【課題】着用して、簡単に最適なサイズに伸ばすことができ、衝突による損傷を緩和でき、軽量で蒸し暑さを防止でき、遠赤外線により血液の循環や新陳代謝を促進し、健康的な役割を果たすことができる遠赤外線関節保護具を提供する。【解決手段】通気性を持つ裏地弾性層１と、裏地弾性層の外面に設けられる緩衝効果を持つホットメルト層を備え、ホットメルト層に遠赤外線セラミック粉末が設けられ、ホットメルト層が裏地弾性層の両端の開口縁にある端部２１と、裏地弾性層の中央部に設けられる第一伸縮部２２を備え、第一伸縮部が菱形となり、かつ、裏地弾性層の外周に沿った菱形の２つの頂点が互いに接続されている。【選択図】図１
0003218178.tif 000002
【実用新案登録請求の範囲】
【請求項１】
裏地弾性層と、裏地弾性層の外面に設けられるホットメルト層を備え、前記ホットメルト層に遠赤外線セラミック粉末が設けられ、前記ホットメルト層が前記裏地弾性層の両端の開口縁にある端部と、裏地弾性層の中央部に設けられる第一伸縮部を備え、前記第一伸縮部が菱形となり、かつ、裏地弾性層の外周に沿った前記菱形の２つの頂点が互いに接続されていることを特徴とする遠赤外線関節保護具。
【請求項２】
前記ホットメルト層が、前記菱形の互いに接続されている２つの頂点に設けられる第二伸縮部を備えることを特徴とする請求項１に記載の遠赤外線関節保護具。
【請求項３】
前記第一伸縮部が、中間層及び中間層の両側に設けられる凸面層を備えることを特徴とする請求項２に記載の遠赤外線関節保護具。
【請求項４】
前記第二伸縮部の厚さが前記凸面層の厚さより小さいことを特徴とする請求項３に記載の遠赤外線関節保護具。
【請求項５】
前記裏地弾性層が弾性布で一体成形されることを特徴とする請求項１に記載の遠赤外線関節保護具。
【請求項６】
前記遠赤外線セラミック粉末が点状に前記ホットメルト層と裏地弾性層との接着面に設けられることを特徴とする請求項１に記載の遠赤外線関節保護具。
【請求項７】
前記菱形の互いに接続されている２つの頂点の２辺の間に隙間が設けられることを特徴とする請求項１に記載の遠赤外線関節保護具。
【考案の詳細な説明】
【技術分野】
【０００１】
本実用新案は関節保護具の技術分野に関し、特に遠赤外線関節保護具に関する。
【背景技術】
【０００２】
現在市販されている関節保護具はほとんどプラスチック製であり、着用に不便である他、比較的重いので、着用すると動きに影響を及ぼす。また、プラスチック製のものも、コットンパッド付きのものも透過性が悪く、着用箇所に汗をかきやすく、皮膚の問題につながる恐れがある。
【考案の概要】
【考案が解決しようとする課題】
【０００３】
既存の技術的問題を解決するために、本実用新案は遠赤外線関節保護具を提供する。
【課題を解決するための手段】
【０００４】
本実用新案は、裏地弾性層と、裏地弾性層の外面に設けられるホットメルト層を備え、前記ホットメルト層に遠赤外線セラミック粉末が設けられ、前記ホットメルト層が前記裏地弾性層の両端の開口縁にある端部と、裏地弾性層の中央部に設けられる第一伸縮部を備え、前記第一伸縮部が菱形となり、かつ、裏地弾性層の外周に沿った前記菱形の２つの頂点が互いに接続されている遠赤外線関節保護具を提供する。
【０００５】
さらに、前記ホットメルト層が、前記菱形の互いに接続されている２つの頂点に設けられる第二伸縮部を備える。
【０００６】
さらに、前記第一伸縮部が、中間層及び中間層の両側に設けられる凸面層を備える。
【０００７】
さらに、前記第二伸縮部の厚さが前記凸面層の厚さより小さい。
【０００８】
さらに、前記裏地弾性層が弾性布で一体成形される。
【０００９】
さらに、前記遠赤外線セラミック粉末が点状に前記ホットメルト層と裏地弾性層との接着面に設けられる。
【００１０】
さらに、前記菱形の互いに接続されている２つの頂点の２辺の間に隙間が設けられる。
【考案の効果】
【００１１】
本実用新案の良好な効果として、本実用新案に係る遠赤外線関節保護具は、裏地弾性層及びホットメルト層があるので、着用すると、弾力性のある裏地弾性層及びホットメルト層で、簡単に保護具をユーザーに最適なサイズに伸ばすことができ、ホットメルト層が優れた緩衝効果を持ち、衝突による損傷を効果的に緩和でき、裏地弾性層が軽量で通気性を持ち、着用するときの蒸し暑さを防止でき、ホットメルト層に遠赤外線セラミック粉末が設けられ、遠赤外線を放出し、血液の循環や新陳代謝を促進し、健康的な役割を果たすことができる。
【図面の簡単な説明】
【００１２】
【図１】本実用新案に係る遠赤外線関節保護具の立体図である。
【図２】本実用新案に係る遠赤外線関節保護具の展開平面図である。
【考案を実施するための形態】
【００１３】
以下、本実用新案の実施形態について詳細に説明する。実施形態の例が添付図面に示されており、始めから終わりまで同じまたは類似の記号が、同じまたは類似の部品、或いは同じまたは類似した機能を持つ部品を指す。以下、添付図面を参照し説明するものが好ましい実施形態のみであり、本実用新案を限定するものではない。
【００１４】
本実用新案の記述において、用語の「中央」「縦方向」「横方向」「長さ」「幅さ」「厚さ」「上」「下」「前」「後」「左」「右」「垂直」「水平」「トップ」「ボトム」「内」「外」「時計回り」「反時計回り」などで指示する方向または位置関係は、添付図面に示した方向または位置関係に基づくものであり、単に本実用新案を説明するためのものであり、該当する装置または部品について特定の方向性を持つか、特定の方向に構築・操作すべきことを指示または暗示するものではないので、本実用新案を限定するものとして理解されるべきではない。
【００１５】
また、用語の「第一」「第二」は説明のみのためのものであり、相対的重要性を指示または暗示するもの、或いは技術的特徴の数を明示するものとして理解されるべきではない。従って、「第一」「第二」を定義する特徴は、1つまたは複数の特徴を明示的にまたは暗示的に含むことができる。本実用新案の記述において、別段の定義がない限り、「複数」は2つ以上を意味する。
【００１６】
本実用新案の記述において、別段の定義がない限り、用語の「設置」「つながり」「接続」「固定」などの用語は広義的に理解されるべきである。例えば、固定接続であっても、取り外し可能な接続或いは一体化であってもよい。機械的接続であっても、電気的接続であってもよい。直接的接続であっても、中間媒体を介する間接的接続或いは２つの部品の内部接続であってもよい。当業者には、具体的な状況に応じて、本実用新案における上記の用語の具体的な意味を理解すればよい。
【００１７】
本実用新案の記述において、別段の定義がない限り、１つ目の特徴が２つ目の特徴の「上」或いは「下」にあることは、１つ目の特徴と２つ目の特徴が直接接触してもよく、直接接触していなく他の特徴を介して接触してもよい。また、１つ目の特徴が２つ目の特徴の「上」「上方」「上の方」にあることは、１つ目の特徴が２つ目の特徴の真上及び斜め上方を含み、或いは単に１つ目の特徴の高さが２つ目の特徴よりも高いことを意味する。１つ目の特徴が２つ目の特徴の「下」「下方」「下の方」にあることは、１つ目の特徴が２つ目の特徴の真下及び斜め下方を含み、或いは単に１つ目の特徴の高さが２つ目の特徴よりも低いことを意味する。
【００１８】
以下に添付図面および実施形態と関連付けて本実用新案をさらに詳細に説明する。
【００１９】
図1、図2に示すように、本実用新案に係る遠赤外線関節保護具は、裏地弾性層１と、裏地弾性層１の外面に設けられるホットメルト層を備え、前記ホットメルト層に遠赤外線セラミック粉末が設けられ、前記ホットメルト層が前記裏地弾性層１の両端の開口縁にある端部２１と、裏地弾性層１の中央部に設けられる第一伸縮部２２を備え、前記第一伸縮部２２が菱形となり、かつ、裏地弾性層１の外周に沿った前記菱形の２つの頂点が互いに接続されている。
【００２０】
裏地弾性層１及びホットメルト層があるので、着用すると、弾力性のある裏地弾性層１及びホットメルト層で、簡単に保護具をユーザーに最適なサイズに伸ばすことができ、ホットメルト層が優れた緩衝効果を持ち、衝突による損傷を効果的に緩和でき、裏地弾性層１が軽量で通気性を持ち、着用するときの蒸し暑さを防止でき、ホットメルト層に遠赤外線セラミック粉末が設けられ、遠赤外線を放出し、血液の循環や新陳代謝を促進し、健康的な役割を果たすことができる。
【００２１】
代替的な実施形態において、前記ホットメルト層が、前記菱形の互いに接続されている２つの頂点に設けられる第二伸縮部２３を備える。前記第一伸縮部２２が、中間層２２１及び中間層２２１の両側に設けられる凸面層２２２を備える前記第二伸縮部２３の厚さが前記凸面層２２２の厚さより小さい。前記菱形の互いに接続されている２つの頂点の２辺の間に隙間２４が設けられる。
【００２２】
代替的な実施形態において、前記裏地弾性層１が弾性布で一体成形される。効果的に保護具の強靭性を高めることができる。
【００２３】
代替的な実施形態において、前記遠赤外線セラミック粉末が点状に前記ホットメルト層と裏地弾性層１との接着面に設けられる。
【００２４】
本明細書の記述において、用語の「ある実施形態」「いくつかの実施形態」「ある実施例」「いくつかの実施例」「代替的な実施形態において」「特定」「例」「具体例」「いくつかの例」などは、当該実施形態または例を参照し説明した特定の特徴・構造・材料・特性が、本実用新案の少なくとも1つの実施形態または例に含まれることを意味する。本明細書では、上記の用語の模式的記述は、必ずしも同じ実施形態または例を指すものではない。また、記述された特定の特徴・構造・材料・特性は、任意の1つまたは複数の実施形態または例において、適切な方法で組み合わせることができる。
【００２５】
上記は、特定の実施形態を参照し本発明をさらに詳細に説明したものであり、本実用新案の具体的な実施態様はこれらの説明に限定されるものとして理解されるべきではない。当業者には、本実用新案の思想から逸脱しない前提において、いくつかの簡単な改善や置換を行うことができる。
【図１】
0003218178.tif 000003
【図２】
0003218178.tif 000004